(57)【要約】【課題】ユーザ認証に用いられる指紋の登録が容易な画像形成装置を提供する。【解決手段】指紋情報記憶部１８２に記憶されているユーザの指紋が、指紋読取部１７０によって読み取られたとき、許可対象機能の実行を許可し、指紋情報記憶部１８２に記憶されていないユーザの指紋が、指紋読取部１７０によって読み取られ、かつ操作パネル部１９０により受け付けられたユーザ情報が、ユーザ情報記憶部１８１に記憶されているとき、指紋読取部１７０によって読み取られた指紋と、操作パネル部１９０により受け付けられたユーザ情報とを関連付けて指紋情報記憶部１８２に記憶させると共に、許可対象機能の実行を許可するユーザ認証部１０６を備えた。【選択図】図１
2004297259.tif 000002
【特許請求の範囲】
【請求項１】
画像データを用いて種々の処理を実行するための複数の機能を有する画像形成装置であって、
ユーザを特定するためのユーザ情報を記憶するユーザ情報記憶部と、
ユーザの指紋を読み取る指紋読み取り部と、
前記指紋と前記ユーザ情報とを関連付けて記憶する指紋情報記憶部と、
ユーザからの操作入力を受け付ける操作部と、
前記指紋読み取り部によって読み取られた指紋と前記指紋情報記憶部に記憶されている指紋とを照合する指紋照合の結果、指紋の一致が検出されないとき、前記操作部により受け付けられたユーザ情報と前記指紋読み取り部によって読み取られた指紋とを関連付けて前記指紋情報記憶部に記憶させる指紋照合制御部とを備えることを特徴とする画像形成装置。
【請求項２】
前記操作部への所定の操作入力を促すためのガイド表示を行う表示部を備え、
前記指紋照合制御部は、前記指紋照合の結果、指紋の一致を検出したとき前記複数の機能のうち実行が許可される対象となる機能である許可対象機能の実行を許可し、一方、前記指紋照合の結果、指紋の一致が検出されないとき、前記操作部への前記ユーザ情報の入力を促すためのガイド表示を前記表示部に表示させると共に、前記操作部により受け付けられたユーザ情報と前記ユーザ情報記憶部に記憶されているユーザ情報とを照合するユーザ照合を実行し、前記ユーザ照合の結果、ユーザ情報の一致を検出したとき、前記指紋読み取り部によって読み取られた指紋と前記一致が検出されたユーザ情報とを関連付けて前記指紋情報記憶部に記憶させると共に、前記許可対象機能の実行を許可する一方、前記ユーザ照合の結果、ユーザ情報の一致が検出されないとき、前記許可対象機能の実行を許可しないことを特徴とする請求項１記載の画像形成装置。
【請求項３】
前記ユーザ情報記憶部は、前記複数の機能のうち所定の機能を前記ユーザ情報に関連付けて記憶し、
前記指紋照合制御部は、前記指紋照合の結果、指紋の一致を検出したとき、その指紋と関連付けて前記指紋情報記憶部に記憶されている、ユーザ情報に関連付けられて前記ユーザ情報記憶部に記憶されている前記所定の機能を、前記許可対象機能とし、一方、前記指紋照合の結果、指紋の一致が検出されないとき、前記操作部により受け付けられたユーザ情報と関連付けて前記ユーザ情報記憶部に記憶されている前記所定の機能を、前記許可対象機能とすることを特徴とする請求項２記載の画像形成装置。
【請求項４】
前記指紋照合制御部は、前記許可対象機能の実行を許可するとき、前記表示部に前記許可対象機能を選択可能に表示させることを特徴とする請求項２又は３記載の画像形成装置。
【請求項５】
前記指紋照合制御部は、前記許可対象機能の実行を許可しないとき、前記表示部に、前記操作部により受け付けられたユーザ情報により特定されるユーザが実行可能な機能を選択可能に表示させることを特徴とする請求項２〜４のいずれかに記載の画像形成装置。
【発明の詳細な説明】
【０００１】
【発明の属する技術分野】
本発明は、指紋を用いてユーザの認証を行うファクシミリ、複写機、プリンター、及びこれらが組み合わされた複合機等の画像形成装置に関するものである。
【０００２】
【従来の技術】
従来、例えば、ユーザが原稿の複写やファクシミリの送信などを行うときに、ユーザの認証を行うことにより、ユーザ毎、あるいはユーザが所属する部門毎に複写枚数を制限したり、ファクシミリの送信を制限したりする画像形成装置が知られている。このような画像形成装置としては、登録ユーザの指紋を予め記憶しておき、ユーザの指紋を検出して予め記憶された登録ユーザの指紋と照合することにより、ユーザの認証を行うようにするものが知られている（例えば、特許文献１参照。）。
【０００３】
【特許文献１】
特開平１３−２５５７９５号公報
【０００４】
【発明が解決しようとする課題】
しかし、上記のように、ユーザの指紋を検出して登録ユーザの指紋と照合することによりユーザの認証を行う場合には、予めユーザの指紋を登録しておく作業が必要となるので、指紋の登録に手間がかかると言う不都合がある。
【０００５】
本発明は上記事情に鑑みてなされたもので、ユーザ認証に用いられる指紋の登録が容易な画像形成装置を提供することを目的とする。
【０００６】
【課題を解決するための手段】
請求項１に記載の発明は、画像データを用いて種々の処理を実行するための複数の機能を有する画像形成装置であって、ユーザを特定するためのユーザ情報を記憶するユーザ情報記憶部と、ユーザの指紋を読み取る指紋読み取り部と、前記指紋と前記ユーザ情報とを関連付けて記憶する指紋情報記憶部と、ユーザからの操作入力を受け付ける操作部と、前記指紋読み取り部によって読み取られた指紋と前記指紋情報記憶部に記憶されている指紋とを照合する指紋照合の結果、指紋の一致が検出されないとき、前記操作部により受け付けられたユーザ情報と前記指紋読み取り部によって読み取られた指紋とを関連付けて前記指紋情報記憶部に記憶させる指紋照合制御部とを備えることを特徴としている。
【０００７】
請求項１に記載の発明によれば、指紋情報記憶部に記憶されていないユーザの指紋が、指紋読み取り部によって読み取られたとき、その読み取られた指紋と、操作部により受け付けられたユーザ情報とが関連付けられて指紋情報記憶部に記憶される。これにより、ユーザ情報と、そのユーザ情報によって特定されるユーザの指紋とが関連付けて指紋情報記憶部に記憶される。
【０００８】
請求項２に記載の発明は、請求項１記載の画像形成装置において、前記操作部への所定の操作入力を促すためのガイド表示を行う表示部を備え、前記指紋照合制御部は、前記指紋照合の結果、指紋の一致を検出したとき前記複数の機能のうち実行が許可される対象となる機能である許可対象機能の実行を許可し、一方、前記指紋照合の結果、指紋の一致が検出されないとき、前記操作部への前記ユーザ情報の入力を促すためのガイド表示を前記表示部に表示させると共に、前記操作部により受け付けられたユーザ情報と前記ユーザ情報記憶部に記憶されているユーザ情報とを照合するユーザ照合を実行し、前記ユーザ照合の結果、ユーザ情報の一致を検出したとき、前記指紋読み取り部によって読み取られた指紋と前記一致が検出されたユーザ情報とを関連付けて前記指紋情報記憶部に記憶させると共に、前記許可対象機能の実行を許可する一方、前記ユーザ照合の結果、ユーザ情報の一致が検出されないとき、前記許可対象機能の実行を許可しないことを特徴とする請求項１記載の画像形成装置。
【０００９】
請求項２に記載の発明によれば、指紋情報記憶部に記憶されているユーザの指紋が、指紋読み取り部によって読み取られたとき、許可対象機能の実行が許可される。一方、指紋情報記憶部に記憶されていないユーザの指紋が、指紋読み取り部によって読み取られ、かつ操作部により受け付けられたユーザ情報が、ユーザ情報記憶部に記憶されているとき、指紋読み取り部によって読み取られた指紋と、操作部により受け付けられたユーザ情報とが関連付けられて指紋情報記憶部に記憶されると共に、許可対象機能の実行が許可される。さらに、指紋情報記憶部に記憶されていないユーザの指紋が、指紋読み取り部によって読み取られ、かつ操作部により受け付けられたユーザ情報がユーザ情報記憶部に記憶されていないとき、許可対象機能の実行が許可されない。
【００１０】
請求項３に記載の発明は、請求項２に記載の画像形成装置において、前記ユーザ情報記憶部は、前記複数の機能のうち所定の機能を前記ユーザ情報に関連付けて記憶し、前記指紋照合制御部は、前記指紋照合の結果、指紋の一致を検出したとき、その指紋と関連付けて前記指紋情報記憶部に記憶されている、ユーザ情報に関連付けられて前記ユーザ情報記憶部に記憶されている前記所定の機能を、前記許可対象機能とし、一方、前記指紋照合の結果、指紋の一致が検出されないとき、前記操作部により受け付けられたユーザ情報と関連付けて前記ユーザ情報記憶部に記憶されている前記所定の機能を、前記許可対象機能とすることを特徴としている。
【００１１】
請求項３に記載の発明によれば、指紋照合制御部による指紋照合の結果、指紋の一致が検出されたとき、その指紋と関連付けて指紋情報記憶部に記憶されているユーザ情報に関連付けられてユーザ情報記憶部に記憶されている所定の機能が、許可対象機能としてその実行が許可される。一方、指紋照合制御部による指紋照合の結果、指紋の一致が検出されないとき、操作部により受け付けられたユーザ情報に関連付けられてユーザ情報記憶部に記憶されている所定の機能が、許可対象機能としてその実行が許可される。
【００１２】
請求項４に記載の発明は、請求項２又は３記載の画像形成装置において、前記指紋照合制御部は、前記許可対象機能の実行を許可するとき、前記表示部に前記許可対象機能を選択可能に表示させることを特徴としている。
【００１３】
請求項４に記載の発明によれば、許可対象機能の実行許可時に、指紋照合制御部によって許可対象機能が表示部に選択可能に表示されるので、ユーザが、許可対象機能を選択することが可能になる結果、許可対象機能の実行が許可される。
【００１４】
請求項５に記載の発明は、請求項２〜４のいずれかに記載の画像形成装置において、前記指紋照合制御部は、前記許可対象機能の実行を許可しないとき、前記表示部に、前記操作部により受け付けられたユーザ情報により特定されるユーザが実行可能な機能を選択可能に表示させることを特徴とする。
【００１５】
請求項５に記載の発明によれば、許可対象機能の実行不許可時に、指紋照合制御部によって、前記操作部により受け付けられたユーザ情報により特定されるユーザが実行可能な機能が、表示部に選択可能に表示されるので、そのユーザが実行可能な機能の実行が許可される。
【００１６】
【発明の実施の形態】
以下、本発明に係る画像形成装置の一実施形態について図面を参照して説明する。図１は本発明に係る画像形成装置の概略構成を示すブロック図である。画像形成装置の一例としてのデジタル複合機１は、コピー機能、ファクシミリ機能、プリンタ機能、スキャナ機能等の機能を兼ね備えている。
【００１７】
図１に示すデジタル複合機１には、装置全体の動作制御を司る制御部１００が備えられている。この制御部１００には、露光ランプ及びＣＣＤ（Ｃｈａｒｇｅ  Ｃｏｕｐｌｅｄ  Ｄｅｖｉｃｅ）等からなる原稿画像の読み取りが可能なスキャナ部１２０と、用紙搬送部１３１、画像形成部１３２、転写部１３３及び定着部１３４等からなる記録部１３０とが接続されている。
【００１８】
また、制御部１００には、スキャナ部１２０で読み取られた文書データ等が保存される画像メモリ１４０、ユーザの指紋を読み取る指紋読取部１７０、ユーザ情報を記憶するユーザ情報記憶部１８１、ユーザの指紋を記憶する指紋情報記憶部１８２、およびユーザからの操作入力を受け付ける操作パネル部１９０が接続されている。
【００１９】
また、制御部１００は、ファクシミリ通信部１５０を介して電話回線と接続されている。また、制御部１００は、ネットワークＩ／Ｆ部１６０を介して外部に接続されたパーソナルコンピュータとデータ送受信可能にされている。
【００２０】
用紙搬送部１３１は、記録紙を搬送する図略の搬送ローラ等から構成され、記録紙を収納する図略の用紙カセットから記録紙を１枚ずつ繰り出して画像形成部１３２へ搬送し、画像形成部１３２によって画像が形成された記録紙を図略の排出トレイに排出する。
【００２１】
画像形成部１３２は、画像メモリ１４０に記憶されている画像データを用いて用紙搬送部１３１により搬送されてきた記録紙に画像を形成するもので、例えば、表面を帯電させた図略の感光体ドラムの表面に、画像メモリ１４０に記憶された画像データに基づきレーザー光を出力して感光体ドラムを露光すると共に、露光された感光体ドラム上にトナー像を形成する。
【００２２】
転写部１３３は、画像形成部１３２により形成されたトナー像を記録紙に転写する。定着部１３４は、転写部１３３によりトナー像が転写された記録紙を加熱してトナー像を記録紙に定着させることにより、記録紙に画像を形成する。
【００２３】
操作パネル部１９０は、デジタル複合機１の操作に必要な各種の指示がユーザから入力されるものである。操作パネル部１９０は、例えば液晶表示器等からなり、デジタル複合機１の操作に必要な各種操作ガイド表示等が表示される表示部１９１と、プリントアウト実行指示やユーザ認証を行うためのパスワード等のユーザ情報の入力を受け付けるテンキーや、機能を切り替えるためのモード切替キー等からなる操作キー部１９２とを有している。なお、表示部１９１は、タッチパネル機能を備え、ユーザが当該タッチパネルに接触することによって必要な指示を入力できる構成を有することが好ましい。
【００２４】
指紋読取部１７０は、例えば静電センサやＣＣＤ（Ｃｈａｒｇｅ  Ｃｏｕｐｌｅｄ  Ｄｅｖｉｃｅ）センサなどからなる公知の指紋センサであり、指紋読取部１７０が備える図略の読取パネルをユーザが指で触れることにより、その指の指紋を読み取るものである。
【００２５】
ユーザ情報記憶部１８１は、例えば半導体メモリやＨＤＤ（Ｈａｒｄ  Ｄｉｓｋ  Ｄｒｉｖｅ）等の記憶装置を用いて構成され、例えばユーザ管理番号、パスワード、あるいは部門を特定するための部門コード等のユーザ情報と、そのユーザ情報で特定されるユーザや部門に対して実行を許可する対象となる所定の機能を示すデータとを関連付けて、記憶する。
【００２６】
指紋情報記憶部１８２は、例えば半導体メモリやＨＤＤ等の記憶装置を用いて構成され、指紋読取部１７０によって読み取られた指紋を示す指紋データと、ユーザ情報とを関連付けて記憶する。
【００２７】
また、制御部１００は、例えばＣＰＵ（Ｃｅｎｔｒａｌ  Ｐｒｏｃｅｓｓｉｎｇ  Ｕｎｉｔ）、デジタル複合機１の制御プログラム等を記憶するＲＯＭ（Ｒｅａｄ  Ｏｎｌｙ  Ｍｅｍｏｒｙ）、及びデータを記憶するＲＡＭ（Ｒａｎｄｏｍ  Ａｃｃｅｓｓ  Ｍｅｍｏｒｙ）等を備え、ＣＰＵが制御プログラムをＲＯＭから読み出して実行することにより、デジタル複合機１が実行可能な各機能を制御するスキャナコントローラ１０１，ファクシミリコントローラ１０２，プリンタコントローラ１０３，コピーコントローラ１０４、ネットワークコントローラ１０５、及びユーザ認証部１０６として機能する。
【００２８】
スキャナコントローラ１０１は、スキャナ動作に必要な各部の動作制御を行うものである。そして、操作パネル部１９０によって、ユーザからのスキャナ機能を要求する動作指示が受け付けられたとき、スキャナコントローラ１０１は、スキャナ部１２０に制御信号を出力して原稿読み取りを実行させ、スキャナ部１２０から出力される画像データを画像メモリ１４０に書き込ませる。
【００２９】
ファクシミリコントローラ１０２は、ファクシミリ動作に必要な各部の動作制御を行うものであり、スキャナ部１２０に制御信号を出力して読み取らせた原稿の画像データをファクシミリ通信部１５０及び電話回線を介して接続されたファクシミリへ送信したり、外部のファクシミリから電話回線及びファクシミリ通信部１５０を介して受信した画像データを記録部１３０へ出力してプリントアウトさせたりする。
【００３０】
プリンタコントローラ１０３は、プリンタ動作に必要な各部の動作制御を行うものであり、ネットワークＩ／Ｆ部１６０を介して外部に接続されたパーソナルコンピュータから送信されたプリントアウト対象のデータを記録部１３０へ出力してプリントアウトさせる。
【００３１】
コピーコントローラ１０４は、コピー動作に必要な各部の動作制御を行うものであり、スキャナ部１２０に制御信号を出力して原稿読み取りを実行させ、スキャナ部１２０から出力される画像データを記録部１３０へ出力してプリントアウトさせる。
【００３２】
ネットワークコントローラ１０５は、ネットワークＩ／Ｆ部１６０を介して外部に接続されたパーソナルコンピュータとの間で行われるデータ送受信を制御するものである。
【００３３】
ユーザ認証部１０６は、指紋読取部１７０によって読み取られたユーザの指紋と、指紋情報記憶部１８２に記憶されている指紋とを照合する指紋照合の結果に応じて許可対象機能の実行の可否を決定したり、ユーザの指紋を指紋情報記憶部１８２に記憶させたりする。
【００３４】
次に、上記のように構成されたデジタル複合機１の動作について説明する。図２は、図１に示すデジタル複合機１によるユーザ認証動作の一例を説明するためのフローチャートである。
【００３５】
まず、制御部１００によって、例えば、ユーザ毎、あるいはユーザが所属する部門毎にデジタル複合機１の機能を制限するための設定の有無が確認される（ステップＳ１）。例えば、コピー機能やプリンタ機能が用いられるときにそのコピー枚数やプリント枚数を部門毎に所定の枚数以下に制限したり、カラーでの画像形成を許可する対象となる部門を制限したり、あるいは指紋や部門コード等のユーザ情報がユーザ情報記憶部１８１に記憶されているユーザに対してのみデジタル複合機１が有する所定の機能の使用を許可したりするための設定の有無が、制御部１００により確認される。
【００３６】
そして、これらデジタル複合機１の機能を制限するための設定が無いとき（ステップＳ１でＮＯ）、ユーザからの動作指示を受け付けるべくステップＳ９へ移行する一方、これらデジタル複合機１の機能を制限するための設定が有るときは（ステップＳ１でＹＥＳ）、ユーザ認証を実行すべくステップＳ２へ移行する。
【００３７】
次に、ステップＳ２において、ユーザ認証部１０６によって、例えば「指紋センサを指で触れてください」等のユーザの操作をガイドするためのガイド表示が、表示部１９１に表示される。そして、ユーザが指を指紋読取部１７０に接触させると、指紋読取部１７０によってユーザの指紋が読み取られると共にその指紋を表す指紋データがユーザ認証部１０６へ出力される。
【００３８】
次に、ステップＳ３において、ユーザ認証部１０６によって、指紋読取部１７０から受信された指紋データと、指紋情報記憶部１８２により記憶されている指紋データとを照合する指紋照合の結果、指紋の一致が検出されたとき（ステップＳ４でＹＥＳ）、ユーザからの動作指示を受け付けるべくステップＳ９へ移行する一方、指紋の一致が検出されないとき（ステップＳ４でＮＯ）、ユーザ情報の入力を受け付けるべくステップＳ５へ移行する。
【００３９】
次に、ステップＳ５において、ユーザ認証部１０６によって、ユーザ情報の入力を促すためのガイド表示が表示部１９１に表示される。図３は、ユーザ情報の入力を促すためのガイド表示の一例を示す画面図である。図１に示すデジタル複合機１は、例えば初期状態ではファクシミリ機能が選択されるように設定されており、図３に示すユーザ情報入力画面１９３は、ファクシミリ機能が選択されている状態でのガイド表示の一例を示している。なお、操作キー部１９２を介してユーザからのモード切替指示、例えばコピー機能への切替指示が、制御部１００によって受け付けられた場合には、ユーザ認証部１０６によって、ユーザ情報入力画面１９３がコピー機能に対応した表示画面に切り替えられるようにしてもよい。
【００４０】
次に、ステップＳ６において、ユーザにより操作キー部１９２を介して入力された、例えば部門コードやパスワード等のユーザ情報が、ユーザ認証部１０６によって受け付けられる。そして、そのユーザ情報と、ユーザ情報記憶部１８１に記憶されているユーザ情報とを照合するユーザ照合が、ユーザ認証部１０６によって実行され、そのユーザ照合の結果、ユーザ情報の一致が検出されたとき（ステップＳ６でＹＥＳ）、指紋の登録を行うべくステップＳ８へ移行する一方、ユーザ情報の一致が検出されないときは（ステップＳ６でＮＯ）、ステップＳ７へ移行する。
【００４１】
次に、ステップＳ７において、ユーザ認証部１０６によって、ユーザ情報記憶部１８１にユーザ情報が記憶されていない未登録ユーザ用表示画面１９４（図４参照）が表示部１９１に表示された後、ステップＳ１０へ移行する。未登録ユーザ用表示画面１９４には、例えばファクシミリの送受信結果や、通信結果のレポート出力などをデジタル複合機１に行わせるための動作指示を受け付ける操作キーが表示されている。
【００４２】
この場合、例えば、ファクシミリの送受信結果機能や、通信結果のレポート出力機能等が、未登録ユーザ用の機能としてユーザ情報記憶部１８１に記憶されており、ユーザ認証部１０６によって、未登録ユーザ用の機能に対応する操作キーが、表示部１９１に表示されている。
【００４３】
一方、ユーザ認証部１０６によるユーザ照合の結果ユーザ情報の一致が検出されたとき、ステップＳ８において、ステップＳ２において指紋読取部１７０により読み取られた指紋を表す指紋データと、ステップＳ６においてユーザ認証部１０６により受け付けられたユーザ情報とが、ユーザ認証部１０６によって関連付けて指紋情報記憶部１８２に記憶される。
【００４４】
次に、ステップＳ９において、ユーザ認証部１０６によって、ステップＳ６においてユーザ認証部１０６により受け付けられたユーザ情報と関連付けてユーザ情報記憶部１８１に記憶されている許可対象機能を示すデータが読み出されると共に、そのデータで示される許可対象機能を選択可能にするための操作キーが、表示部１９１に表示される。
【００４５】
具体的には、例えば、ユーザ情報記憶部１８１に、ステップＳ６においてユーザ認証部１０６により受け付けられたユーザ情報と関連付けて、ファックス送信機能や宛先の名前が表示されたボタンを押すことでファックス送信できるワンタッチダイアル機能、記録紙の端にとじ代（余白）を作って画像形成を行うとじ代作成モード等の応用機能、ワンタッチダイアルの宛先等を登録するための登録機能、及びファクシミリの送受信結果を出力するためのレポート出力機能が記憶されている場合、図５に示す登録ユーザ用表示画面１９５が、ユーザ認証部１０６によって表示部１９１に表示される。
【００４６】
登録ユーザ用表示画面１９５には、ユーザ認証部１０６によって、ファックス送信機能やワンタッチダイアル機能を実行させるための動作指示を受け付ける基本機能キー１９６、応用機能を実行させるための動作指示を受け付ける応用機能キー１９７、登録機能を実行させるための動作指示を受け付ける登録機能キー１９８、及びレポート出力機能を実行させるための動作指示を受け付けるレポート出力機能キー１９９が選択可能に表示されている。
【００４７】
これにより、ユーザ認証部１０６は、ユーザ情報記憶部１８１にユーザ情報が記憶されている登録ユーザに対しては、そのユーザ情報と関連付けられてユーザ情報記憶部１８１に記憶されている所定の機能の実行を許可する一方、未登録ユーザに対しては、未登録ユーザ用の機能の実行を許可するようにされている。
【００４８】
なお、ユーザ認証部１０６は、許可対象機能の実行を許可するとき、表示部１９１に許可対象機能のみを選択可能に表示させることにより、許可対象機能の実行を許可すると共に、許可対象機能以外の機能の実行を許可しないようにしてもよい。
【００４９】
次に、ステップＳ１０において、ファクシミリコントローラ１０２により、表示部１９１に表示された操作キーが押圧されたことが受け付けられると、その押圧された操作キーに対応する機能が選択されると共に、実行される。
【００５０】
以上、ステップＳ１〜Ｓ１０の処理により、デジタル複合機１によるユーザ認証動作が実行され、その認証結果に応じた機能が実行される。
【００５１】
なお、ファクシミリ機能が選択されている場合の例を示したが、コピー機能、プリンタ機能、スキャナ機能など、他の機能が選択されていてもよく、その場合、その選択された機能に応じた機能が選択可能に表示部１９１に表示される構成であっても良い。
【００５２】
また、上記実施形態は単なる一例に過ぎず、デジタル複合機１の概略構成や、デジタル複合機１によって行われる処理は、適宜変更が可能である。
【００５３】
【発明の効果】
請求項１に記載の発明によれば、指紋情報記憶部に記憶されていないユーザの指紋が、指紋読み取り部によって読み取られたとき、ユーザ情報と、そのユーザ情報によって特定されるユーザの指紋とが関連付けて指紋情報記憶部に記憶されるので、ユーザ認証に用いられる指紋の登録が容易になる。
【００５４】
請求項２に記載の発明によれば、ユーザ情報記憶部にユーザ情報が記憶されているユーザの指紋が、指紋情報記憶部に記憶されていないとき、そのユーザは、ユーザ情報を操作部を用いて入力することにより、画像形成装置に許可対象機能を実行させることが可能になると共にそのユーザの指紋を指紋情報記憶部に記憶させることができるので、ユーザ認証に用いられる指紋の登録が容易になる。
【００５５】
請求項３に記載の発明によれば、ユーザ情報に関連付けられてユーザ情報記憶部に記憶されている所定の機能を、許可対象機能としてその実行を許可することができる。
【００５６】
請求項４に記載の発明によれば、ユーザは、許可対象機能を選択することができる。
【００５７】
請求項５に記載の発明によれば、ユーザは、許可対象機能の実行不許可時に、そのユーザが実行可能な機能を選択することができる。
【図面の簡単な説明】
【図１】本発明に係る画像形成装置の概略構成を示すブロック図である。
【図２】図１に示すデジタル複合機の動作の一例を説明するためのフローチャートである。
【図３】本発明に係るガイド表示画面の一例を示す画面図である。
【図４】本発明に係る未登録ユーザ用表示画面の一例を示す画面図である。
【図５】本発明に係る登録ユーザ用表示画面の一例を示す画面図である。
【符号の説明】
１            デジタル複合機
１００    制御部
１０１    スキャナコントローラ
１０２    ファクシミリコントローラ
１０３    プリンタコントローラ
１０４    コピーコントローラ
１０５    ネットワークコントローラ
１０６    ユーザ認証部（指紋照合制御部）
１２０    スキャナ部
１３０    記録部
１４０    画像メモリ
１５０    ファクシミリ通信部
１６０    ネットワークＩ／Ｆ部
１７０    指紋読取部
１８１    ユーザ情報記憶部
１８２    指紋情報記憶部
１９０    操作パネル部（操作部）
１９１    表示部
１９２    操作キー部
１９３    ユーザ情報入力画面
１９４    未登録ユーザ用表示画面
１９５    登録ユーザ用表示画面
１９６    基本機能キー
１９７    応用機能キー
１９８    登録機能キー
１９９    レポート出力機能キー
【図１】
2004297259.tif 000003
【図２】
2004297259.tif 000004
【図３】
2004297259.tif 000005
【図４】
2004297259.tif 000006
【図５】
2004297259.tif 000007